(57)【要約】【課題】十分なボリュームが得られるとともに、ポストなども組み込むことができ、強度的にもコスト的にも利便性にも優れる門柱。【解決手段】  アルミニウムの押出型材からなる正背面および左右両側面のパネル材２、３、４を結合して角柱状に形成した門柱１であって、上記両側面のパネル材４を連結材１２を介して連結し、かつ上記正背面のパネル材２、３と左右両側面のパネル材４とをビス１３によって結合するとともに、上記ビス止め部を上記パネル材にスライド嵌合した化粧パネル１６によって覆った。【選択図】図３
2006257801.tif 000002
【特許請求の範囲】
【請求項１】
アルミニウムの押出型材からなる正背面および左右両側面のパネル材を結合して角柱状に形成した門柱であって、上記左右両側面のパネル材を連結材を介して連結し、かつ上記正背面のパネル材と左右両側面のパネル材とをビスによって結合するとともに、上記ビス止め部を上記パネル材にスライド嵌合した化粧パネルによって覆ったことを特徴とする門柱。
【請求項２】
前記左右両側面を複数のパネル材によって構成し、隣り合う一方のパネル材と他方のパネル材の隣接端部をスライド嵌合させて上記隣接端部を重合状態にして結合するとともに、重合された隣接端部のうち内側の隣接端部の外側から挿通したビスで前記連結材を固定し、外側の隣接端部で上記ビスの頭部を外側から覆ったことを特徴とする、請求項１記載の門柱。
【請求項３】
前記正背面および左右両側面のパネル材の間にポスト用空間を形成し、この空間部の底部には底板部を形成し、上記空間部の正背側には投入口および取り出し口をそれぞれ上記正背面のパネル材に形成したことを特徴とする、請求項１又は２に記載の門柱。
【請求項４】
前記正面のパネル材の一部にインターホン用の開口部を形成し、その内側にインターホンを配置固定したことを特徴とする、請求項１又は２に記載の門柱。
【発明の詳細な説明】
【技術分野】
【０００１】
本発明は、アルミニウムの押出型材製パネル材によって組み立てられた角柱形の門柱に関するものである。
【背景技術】
【０００２】
一般に、門柱は石材製のものや金属製又は合成樹脂製の芯材の周囲に金属製のパネル材を取り付けたものなどが知られている。
【特許文献１】特開平１０−１９６２５６号公報
【発明の開示】
【発明が解決しようとする課題】
【０００３】
しかしながら、金属製の芯材を使用する場合は、芯材自体をかなり大きなものにしなければならないので、強度は十分であるが、重量がかさみ、部品を搬送しにくく、コストも高いという問題があるほか、中央の芯材が邪魔になり、門柱の背面側から正面側にポストを貫通させることができなかった。合成樹脂の芯材は、具体的にはパネル材を四角形状に組み合わせ、さらにポストを配置した状態で、パネル材間の空間部内に樹脂材を充填して発泡させるもので、重量が軽い分だけ強度に劣り、また樹脂を発泡させるという面倒な作業を要するので、現在ではほとんど目にすることはできない。
【０００４】
また、従来の門柱は全体のボリュームに劣り、例えばポストも正面側は門柱の正面と面一であるが、背面側は門柱の背面から突出するものであり、経年によりポストのむき出し部がさびついたり、色の剥げ落ちが生じるなどの問題があった。
【０００５】
本発明は上記問題点を解消し、十分なボリュームが得られるとともに、ポストなども組み込むことができ、強度的にもコスト的にも利便性にも優れる門柱を提供することをその課題とする。
【課題を解決するための手段】
【０００６】
前記課題を解決するため、請求項１に係る発明は、アルミニウムの押出型材からなる正背面および左右両側面のパネル材を結合して角柱状に形成した門柱であって、上記両側面のパネル材を連結材を介して連結し、かつ上記正背面のパネル材と左右両側面のパネル材とをビスによって結合するとともに、上記ビス止め部を上記パネル材にスライド嵌合した化粧パネルによって覆ったことを特徴とする。
【０００７】
請求項２に係る発明は、前記左右両側面を複数のパネル材によって構成し、隣り合う一方のパネル材と他方のパネル材の隣接端部をスライド嵌合させて上記隣接端部を重合状態にして結合するとともに、重合された隣接端部のうち内側の隣接端部の外側から挿通したビスで前記連結材を固定し、外側の隣接端部で上記ビスの頭部を外側から覆ったことを特徴とする。
【０００８】
請求項３に係る発明は、前記正背面および左右両側面のパネル材の間にポスト用空間を形成し、この空間部の底部には底板部を形成し、上記空間部の正背側には投入口および取り出し口をそれぞれ上記正背面のパネル材に形成したことを特徴とする。
【０００９】
請求項４に係る発明は、前記正面のパネル材の一部にインターホン用の開口部を形成し、その内側にインターホンを配置固定したことを特徴とする。
【発明の効果】
【００１０】
請求項１の発明に係る門柱は、両側のパネル材間に棒状の連結材を配置し、上記両側面のパネル材を連結材を介して連結し、かつ上記正背面のパネル材と左右両側面のパネル材とをビスによって結合するものであるから、十分なボリュームを出すことができるとともに、強度も十分である。また、中央に芯材がないので、ポストやインターホンなども簡単に取り付けて門柱にいろいろな機能をもたせることができる。
【００１１】
また、上記ビス止め部を上記パネル材に係止した化粧パネルによって覆ったので、表面にビスの頭部が露出せず、意匠性にも優れた門柱を提供することができる。
【００１２】
請求項２に係る発明によれば、隣り合う２枚のパネル材の隣接端部を重合状態にして結合するとともに、重合された隣接端部のうち内側の隣接端部の外側から挿通したビスで前記連結材を固定し、外側の隣接端部で上記ビスの頭部を外側から覆ったので、特別の手段を用いなくても確実にビスの頭部を覆うことができる。
【００１３】
請求項３に係る発明によれば、門柱の内部空間を投函された郵便物や新聞、印刷物等の収納空間として利用することができるから、従来のように函状のポストを門柱に取り付ける必要がない。また、投入口および取り出し口がそれぞれ正背面のパネル材に形成されているから、門柱全体の外観がすっきりとし、デザイン性にも優れる。
【００１４】
請求項４に係る発明によれば、インターホンは正面のパネル材の内側に配置固定されているので、インターホン自体のデザインに左右されず、またインターホンが正面から突出することがないので、デザイン性に優れた門柱を提供することができる。
【発明を実施するための最良の形態】
【００１５】
図１〜図３において符号１は門柱を示す。この門柱１は、アルミニウムの押出型材製パネル材を結合して正背面と左右両側面が面状をなすようにした角柱形の門柱であり、ポストａとインターホンｂと照明ｃとを備えている。
【００１６】
門柱の正背面は正面のパネル材２と背面のパネル材３とから構成され、左右両側面は側面のパネル材４で構成されている。
【００１７】
門柱１の左右両側面は主に２枚のパネル材４ａ、４ｂからなり、両パネル材４ａ、４ｂは、表面の一側が平面状を成し、他側に段部５が形成され、また上記他側端から内方に直角の屈曲縁６を形成し、さらに段部５の基部に外方に開口する係止溝７を形成し、段部５の先端縁８は鉤形に形成されている点で共通している。しかし、一方のパネル材４ａの上記一側の端縁部には先が二股の嵌合突縁９が内方に突出形成されているのに対し、他方のパネル材４ｂの上記一側の端縁部には上記嵌合突縁９に嵌合可能な嵌合溝１０が形成されている。
【００１８】
なお、両パネル材４ａ、４ｂともに内面の長手方向にビスホール１１が形成されている。
【００１９】
次に、門柱１の正面及び背面側のパネル材２、３は平板状に形成されている。
【００２０】
上記パネル材２、３、４を角柱状に組み立てるにあたっては、側面のパネル材４ａ、４ａとパネル材４ｂ、４ｂとをそれぞれ左右に対向させ、これら２枚のパネル材４ａ、４ａとパネル材４ｂ、４ｂ間に２本の棒状の連結材１２を配置する。連結材１２もアルミニウムの押出型材製で、中空の棒状をなし、内部にはビスホール１１が形成されている。両棒状連結材１２ともに上記一方のパネルの段部５の内側に配置され、そこで、上記両側のパネル材の両端縁の係止溝７の外側から挿通したビス１３を上記連結材１２のビスホール１１に螺合固定して上記両側のパネル材４ａ、４ａとパネル材４ｂ、４ｂを連結する。また、パネル材４ａ、４ａの間に棒状連結材１２を段部５の内側に配置し、上記パネル材４ｂの嵌合溝１０の外側から挿通したビス１３を上記連結材１２のビスホール１１に螺合固定して上記両側のパネル材４ｂ、４ｂを連結する。次に、パネル材４ａの嵌合突縁９を上記パネル材４ｂの嵌合溝１０に嵌合させた状態でスライドさせる。これにより、両側面が構成される。なお、中央の連結材１２のビス１３の頭部は、互いに重合した嵌合溝１０と嵌合突縁９との間に位置するから、上記パネル材４ａ、４ａの嵌合突縁９によって覆われる。
【００２１】
さらに、正面と背面の開口端の屈曲縁６によって形成された凹部に正面のパネル材２と背面のパネル材３とを当接し、ビス１３で固定する。
【００２２】
このように、両側のパネル材４、４を棒状の連結材１２を介して連結し、かつ上記正背面のパネル材２、３と左右両側面のパネル材４とをビスによって結合するものであるから、十分なボリュームを出すことができるとともに、強度も十分である。
【００２３】
なお、側面のパネル材４ａ、４ｂの嵌合部分の強度は弱いが、この部分を中央の連結材１２によって補強したので、十分な強度が得られる。
【００２４】
次に、正背面のパネル材２、３のビス止め部は側面のパネル材４ａ、４ｂに係止した化粧パネル１６によって覆われている。化粧パネル１６は上記パネル材４ａ、４ｂの段部５よりも少し幅広で、一側には上記パネル材４ａ、４ｂに形成された係止溝７に係止可能な係止突縁１７を有し、他側には内側にＬ字形の屈曲部１８を有するものである。また、長手方向に沿ってビスホール１１が形成されている。そして、化粧パネル１６はその係止突縁１７を上記パネル材４ａ、４ｂの係止溝７に嵌合させた状態でスライド嵌合させて取り付ければよい。正面側と背面側に配置された連結材１２の取り付けビス１３のビスの頭部は上記係止突縁１７と係止溝７との間に位置しているから、上記化粧パネル１６の取り付けにより、該化粧パネル１６によって覆われる。また、正背面のパネル材２、３を固定したビス１３の頭は上記化粧パネル１６の取り付けにより、その屈曲部１８によって覆われる。
【００２５】
このように、正背面のパネル材２、３のビス止め部は上記パネル材に係止した化粧パネル１６によって覆われるので、表面にビス１３の頭部が露出せず、意匠性にも優れた門柱１を提供することができる。
【００２６】
なお、化粧パネルは正背面のパネル材２、３に嵌合する構成であってもよい。
【００２７】
次に、ポストａは、図４および図５に示されるように、正背面および左右両側面のパネル材２、３、４の間に形成された空間部Ｓを利用し、この空間部Ｓの底部には底板部２０を形成するとともに、上記空間部Ｓの正背側には投入口２１および取り出し口２２をそれぞれ上記正背面のパネル材２、３に形成したものである。投入口２１と取り出し口２２にはそれぞれ開閉蓋２３、２４が取り付けられている。なお、底板部２０は連結材１２の上に支持固定させればよい。また、底板部２０の正面側の端部は上方に折り曲げ、さらにその上端２０ａを内側に折り曲げて水切りを良くするのが好ましい。上記取り出し用の開閉蓋２４は背面よりも突出しないように取り付けるのがよい。
【００２８】
門柱１の内部空間Ｓを投函された郵便物や新聞、印刷物等１９の収納空間として利用することができるから、従来のように函状のポストを門柱に取り付ける必要がない。また、投入口２１および取り出し口２２がそれぞれ正背面のパネル材２、３に形成されているから、門柱全体の外観がすっきりとし、デザイン性にも優れる。
【００２９】
次に、正面のパネル材２の上部内側にはインターホンｂが配置固定されている。インターホンｂは、図６（ａ）（ｂ）および図７（ａ）（ｂ）に示されるように、コの字形台座２５に固定され、台座２５の両側屈曲片を調整アングル金具２６の一方の片と重合して固定し、上記アングル金具２６の他方の片を正面のパネル材２にビス１３でビス止めすることによって固定されている。
【００３０】
正面のパネル材２にはインターホンｂのモニターレンズと呼び出しボタンとスピーカーのための開口部２７、２８、２９が形成されている。そして、正面のパネル材２とインターホンｂの前面との間にはシール材３１が取り付けられている。
【００３１】
なお、インターホンｂの下部に配置される正面のパネル材２は、その上部３０がＬ字形に折り曲げられてインターホンｂの下部に配置されているとともに、その両側と正面のパネル材材との間に弾性シール材３１を取り付け、インターホンｂから入り込んだ雨水が下のポストａに入らないようになっている。
【００３２】
また、インターホンｂの正面のパネル材２とその上下の正面のパネル材２との間の継ぎ目部分にはシール材３１を介して水切３２が取り付けられ、上記継ぎ目が外部から見えないようになっている。ポストａについても同様である。なお、水切りを設けない部分の上下パネルの接合部分は図８のように、上部のパネル材の下端部１４をＬ字形に形成し、下部のパネル材の上端１５をコーキング材を介して重合させればよい。
【００３３】
このように、インターホンｃは正面のパネル材２の内側に配置固定されているので、インターホン自体のデザインに左右されず、またインターホンが正面から突出することがないので、デザイン性に優れた門柱となる。
【００３４】
次に、門柱１の上端には照明ｃが取り付けられている。照明ｃに電気を供給する給電コードは門柱１の内部を這わせて設ければよい。門柱１の内部の中空は上下に連続し、内部の中空が遮られることがないから、給電コードも上から下まで通すことができる。
【００３５】
上述のように、上記門柱１の中央に芯材がなく、中空なので、ポストａやインターホンｂなども簡単に取り付けて門柱１にいろいろな機能をもたせることができる。
【図面の簡単な説明】
【００３６】
【図１】門柱の斜視図である。
【図２】その正面図である。
【図３】図２のＡ−Ａ線上の拡大断面図である。
【図４】上記門柱のポスト部分の側面図である。
【図５】図４のＢ−Ｂ線上の拡大断面図である。
【図６】（ａ）（ｂ）はインターホン部分の正面側の横断面図及び縦断面図である。
【図７】（ａ）（ｂ）はそれぞれ門柱のインターホン部分の要部を示す正面側の斜視図および背面側の斜視図である。
【図８】上下パネルの接合部の断面図である。
【符号の説明】
【００３７】
ａ  ポスト
２、３、４  パネル材
１２  連結材
１６  化粧パネル
【図１】
2006257801.tif 000003
【図２】
2006257801.tif 000004
【図３】
2006257801.tif 000005
【図４】
2006257801.tif 000006
【図５】
2006257801.tif 000007
【図６】
2006257801.tif 000008
【図７】
2006257801.tif 000009
【図８】
2006257801.tif 000010